(57)【特許請求の範囲】
【請求項１】
周壁部が多数の貫通孔を有する排水材であって、
周壁部が、重ね合わされる複数の基材を有し、
少なくとも周壁部の最外側に位置する基材に、多数の貫通孔が形成されると共に、
基材の形成時に基材に不作為的に形成された凹凸により、隣接する基材間に隙間が形成され、
貫通孔が、隣接する基材間の隙間を介して、周壁部内部と連通した排水材。
【請求項２】
合成樹脂製とされた請求項１記載の排水材。
【請求項３】
各基材に多数の貫通孔が形成され、
各基材の貫通孔の位置が、隣接する基材の貫通孔の位置からずらされた請求項１又は２記載の排水材。  
【請求項４】
周壁部が角筒状とされ、
周壁部内部に、周壁部が押し潰されることを防止する内部補強体が備えられた請求項１〜３の何れかに記載の排水材。
【請求項５】
周壁部が角筒状とされ、
周壁部における、内部空間を挟んで対向する部分に、それぞれ、貫通孔を有する基材が備えられ、
周壁部の最内側に位置する基材が、周壁部が押し潰されることを防止する補強材兼用とされると共に、
この最内側の基材に、周壁部の上記対向する部分に突出する凸部が形成され、
この凸部が、上記最内側の基材と隣接する基材における、貫通孔の周辺部と当接して、貫通孔を閉鎖状とする請求項１〜３の何れかに記載の排水材。
【請求項６】
基材が螺旋状に捲回され、
隣接する捲回部において、幅方向の対応する端部が重ね合わされて、固着されることで、
周壁部が円筒状とされた請求項１〜３の何れかに記載の排水材。
【請求項７】
周壁部に、
Ａ．径方向外方に突設された螺旋状の凸設部と、
Ｂ．径方向内方に凹設された螺旋状の凹設部
が軸心方向に交互となるように連設され、
周壁部の最外側に位置する基材の貫通孔が、凸設部の天壁に配設され、
周壁部の最内側に位置する基材の貫通孔が、凹設部の底壁に配設された請求項６記載の排水材。
【発明の詳細な説明】
【技術分野】
【０００１】
本発明は排水材に関する。
【背景技術】
【０００２】
土中に埋設される排水材としては、例えば、周壁部が不織布から構成され、この不織布がフィルター層とされたものがある（特許文献１参照）。上記排水材では、不織布に形成された孔よりも大きな土砂の粒子が、不織布により分離され、上記孔よりも小さな土砂の粒子が、土中の水と共に、外部に排出される。
【先行技術文献】
【特許文献】
【０００３】
【特許文献１】特開平８−７１３０８号公報
【発明の概要】
【発明が解決しようとする課題】
【０００４】
上記従来の排水材では、周壁部を構成する不織布が、土中に直接露出し、不織布の周囲にある土砂が、不織布に対して、垂直方向に押圧されていた。このため、不織布に形成された孔に、この孔よりも大きな土砂の粒子が食い込み易く、これにより、不織布、即ち、排水材が早期に目詰まりし易いとの問題があった。
本発明は、上記問題を解決できる排水材を提供することを目的とする。
【課題を解決するための手段】
【０００５】
上記目的を達成するために、本発明の排水材の特徴とするところは、周壁部が多数の貫通孔を有する排水材であって、周壁部が、重ね合わされる複数の基材を有し、少なくとも周壁部の最外側に位置する基材に、多数の貫通孔が形成されると共に、基材の形成時に基材に不作為的に形成された凹凸により、隣接する基材間に隙間が形成され、貫通孔が、隣接する基材間の隙間を介して、周壁部内部と連通した点にある。
尚、排水材が合成樹脂製とされることもある。
又、各基材に多数の貫通孔が形成され、各基材の貫通孔の位置が、隣接する基材の貫通孔の位置からずらされることもある。
更に、周壁部が角筒状とされ、周壁部内部に、周壁部が押し潰されることを防止する内部補強体が備えられることもある。
又、周壁部が角筒状とされ、周壁部における、内部空間を挟んで対向する部分に、それぞれ、貫通孔を有する基材が備えられ、周壁部の最内側に位置する基材が、周壁部が押し潰されることを防止する補強材兼用とされると共に、この最内側の基材に、周壁部の上記対向する部分に突出する凸部が形成され、この凸部が、上記最内側の基材と隣接する基材における、貫通孔の周辺部と当接して、貫通孔を閉鎖状とすることもある。
更に、基材が螺旋状に捲回され、隣接する捲回部において、幅方向の対応する端部が重ね合わされて、固着されることで、周壁部が円筒状とされることもある。
又、周壁部に、Ａ．径方向外方に突設された螺旋状の凸設部と、Ｂ．径方向内方に凹設された螺旋状の凹設部が軸心方向に交互となるように連設され、周壁部の最外側に位置する基材の貫通孔が、凸設部の天壁に配設され、周壁部の最内側に位置する基材の貫通孔が、凹設部の底壁に配設されることもある。
【発明の効果】
【０００６】
本発明によれば、排水材が早期に目詰まりしにくい。
【図面の簡単な説明】
【０００７】
【図１】本発明の実施の形態の第１例を示す一部断面とした斜視図である。
【図２】図１の一部の分解斜視図である。
【図３】図１の一部の拡大断面図である。
【図４】本発明の実施の形態の第２例を示す一部分解斜視図である。
【図５】本発明の実施の形態の第３例を示す断面図である。
【図６】図５の一部斜視図である。
【図７】本発明の実施の形態の第４例を示す断面図である。
【図８】本発明の実施の形態の第５例を示す断面図である。
【図９】本発明の実施の形態の第６例を示す断面図である。
【図１０】本発明の実施の形態の第７例を示す断面図である。
【発明を実施するための形態】
【０００８】
以下、本発明の実施の形態の第１例を図１〜図３の図面に基づき説明する。図１は排水材を示している。尚、説明の便宜上、図１において、紙面の上下、左右を排水材の上下、左右として、説明するが、排水材は上下方向や水平方向等の種々の方向に配設されるので、上記「上下、左右」はあくまで説明の便宜のために決めているだけである。排水材は，断面が横長状の長方形の角筒状とされて、硬質（又は軟質）の合成樹脂製とされている。合成樹脂としては、ＥＶＡ樹脂、ポリエチレン樹脂、ポリプロピレン樹脂等のオレフィン系合成樹脂、又は、塩化ビニール樹脂等が使用される。排水材は、上下にそれぞれ配設された第１・第２基材（基板）１，２と、左右一対の連結板３と、排水材の内部に配設される内部補強体４を有し、第１・第２基材１，２及び左右一対の連結板３が排水材の周壁部を構成している。尚、排水材やその構成部材は、屈曲可能とされたり、可撓性を有する場合があるが、そうされない場合もある。
【０００９】
図２にも示すように、第１・第２基材１，２は、周壁部における、内部空間を介して対向する部分、即ち、周壁部の上下にそれぞれ配設されて、排水材の天壁及び底壁を構成するもので、軸心方向に細長い帯（又はシート）状とされている。各基材１，２には、上下（厚さ）方向に貫通する多数の貫通孔６，７が碁盤の目状に規則正しく配設されている。第１基材１の左右に隣接する貫通孔６間の中央部に、第２基材２の貫通孔７が配設されている。尚、第１基材１の軸心方向に隣接する貫通孔６間の中央部に、第２基材２の貫通孔７を配設したり、或いは、第１基材１における、左右方向と４５度の角度をなす斜め方向で隣接する貫通孔６間の中央部に、第２基材２の貫通孔７を配設することもある。要するに、両基材１，２の貫通孔６，７の位置をずらせて、配設すればよい。
【００１０】
両基材１，２は、第１基材１が周壁部の外側になるように、上下に重ね合わされ、マクロ的には、全面的に当接している。しかし、ミクロ的には、図３に示すように、両基材１，２の形成時にそれらに不作為的（無作為的、自然）に形成された微細な凹凸９，１０により、両基材１，２間には微細な隙間１１が形成されている。この隙間１１はフィルター機能を有し、第１基材１の貫通孔６における、第２基材側の端部で開口１１Ａすると共に、第２基材２の貫通孔７における、第１基材側の端部で開口１１Ｂしている。
【００１１】
各連結板３は周壁部の各側壁を構成するもので、軸心方向に細長い帯（又はシート）状とされており、各連結板３の上下端部が、両基材１，２の各側端部に溶着（融着）されている。
【００１２】
内部補強体４は周壁部の内部に軸心方向全長にわたって配設されて、周壁部の内部を区画乃至略区画している。内部補強体４は周壁部を補強して、周壁部の保形性を向上し、排水材が土中に埋設された際に、土中で受ける圧力により、周壁部が押し潰されないようにするもので、水平壁４Ａと垂直壁４Ｂを一体成形して成る。水平壁４Ａは水平に配設されて、その左右両端部が各連結板３と当接乃至は小隙を介して対向しており、当接させた場合には、各連結板３と溶着（融着）されることもある。垂直壁４Ｂは、水平壁４Ａの上面及び下面に等間隔に垂直に配設されると共に、その先端部が第２基材２と当接乃至は小隙を介して対向しており、当接させた場合には、第２基材２と溶着（融着）されることもある。尚、水平壁４Ａ及び垂直壁４Ｂを、連結板３や第２基材２と当接させた場合、これらの形成時にこれらに不作為的（無作為的、自然）に形成された微細な凹凸により、当接部分には、微細な隙間が形成されることもある。
【００１３】
上記構成例によれば、排水材を土中に埋設した際には、土砂の粒子及び土中内の水が第１基材１の外面に当接したり、第１基材１の貫通孔６内に侵入する。この場合において、第１・第２基材１，２間に形成された隙間１１が、第１基材１の貫通孔６における、第２基材側の端部で開口１１Ａしているので、この開口１１Ａが、第１基材１の貫通孔６内に侵入した土砂の粒子に対して、フィルター作用を行い、上記「開口１１Ａよりも大きな土砂の粒子」は隙間１１内への侵入を阻止され、「開口１１Ａよりも小さな土砂の粒子」は、土中の水と共に、隙間１１内に侵入する。この侵入した水及び土砂の粒子は、第２基材２の貫通孔７を介して、排水材内部に侵入し、外部に排出される。
【００１４】
ところで、排水材の周囲にある土砂は、周壁部の外面に対して、垂直方向に押圧される。それ故、第１基材１の貫通孔６内に侵入した、上記「開口１１Ａよりも大きな土砂の粒子」も、第２基材２の外面における、第１基材１の貫通孔６と対応する部分に対して、垂直方向に押圧され、隙間１１の開口１１Ａに対しては、殆ど押圧されない。従って、上記「開口１１Ａよりも大きな土砂の粒子」は、隙間１１の開口１１Ａに食い込む惧れが少ない。これにより、隙間１１、即ち、排水材が早期に目詰まりしにくい。
【００１５】
図４は本発明の実施の形態の第２例を示し、第１基材１、第２基材２、第１基材１の３枚の基材を重ね合わせることで、周壁部の天壁及び底壁を構成している。
【００１６】
図５及び図６は本発明の実施の形態の第３例を示し、第２基材２における、貫通孔７間に、湾曲状（半球状）に突出する突起１３を作為的に形成し、これを第１基材１と当接させることで、第１・第２基材１，２間に、上記第１例よりも大きな隙間１１を形成している。尚、突起１３は、第２基材２における、左右、軸心方向、又は、左右方向と４５度の角度をなす斜め方向で隣接する貫通孔７間の中央部に配設されている。第３例によれば、第１例よりも大きな土砂の粒子を、土中の水と共に、外部に排出できる。
【００１７】
図７は本発明の実施の形態の第４例を示し、上下一対の第１基材１を、第２基材２を介して、重ね合わせることで、周壁部の天壁及び底壁を構成している。又、第１基材１における、貫通孔６間に、第１基材１の長手方向に間歇的又は連続状に形成された突条タイプ、角錐状、又は、円錐状の突起１３を形成し、この突起１３を第２基材２と当接させている。
【００１８】
図８は本発明の実施の形態の第５例を示し、周壁部の天壁及び底壁が、上下一対の第１基材１と単一の第２基材２から構成されている。第２基材２は補強材（内部補強体）兼用とされて、周壁部を補強すると共に、周壁部内部を区画乃至略区画しており、第２基材２には貫通孔は形成されていない。尚、第２基材２に、上記各例のように、貫通孔を形成してもよい。第２基材２には、上方に台形状に突設された凸部２Ａと下方に台形状に突設された凸部２Ｂが交互に左右方向（水平方向）に連設されると共に、第２基材２の左右両端部が、下側の凸部２Ｂの頂壁と上下方向に関して同一位置となる水平壁２Ｃとされている。第２基材２の上側の凸部２Ａの頂壁が、上側の第１基材１における、貫通孔６の周辺部と当接して、貫通孔６の下端を閉鎖（閉塞）状としている。又、第２基材２の下側の凸部２Ａの頂壁及び水平壁２Ｃが、下側の第１基材１における、貫通孔６の周辺部と当接して、貫通孔６の上端を閉鎖状としている。尚、第１例と同様に、両基材１，２の形成時にこれらに不作為的（無作為的、自然）に形成された微細な凹凸により、両基材１，２の当接部間には、微細な隙間が形成され、第１基材１の貫通孔６は、上記隙間を介して、周壁部内部と連通している。尚、両基材１，２の一方に、突起を作為的に形成することもある。
【００１９】
図９は本発明の実施の形態の第６例を示すもので、重ね合わせた第１・第２基材１，２が下記のように円筒状の周壁部とされている。即ち、上記各例の第１基材１を帯状として、成形用回転軸上に螺旋状に捲回し、隣接する捲回部において、幅方向の対応する端部を重ね合わせて、一体に溶着（融着）又は接着し、円筒状としている。又、上記各例の第２基材２も帯状として、円筒状の第１基材１上に螺旋状に捲回し、隣接する捲回部において、幅方向の対応する端部を重ね合わせて、一体に溶着（融着）又は接着することで、円筒状とし、これにより、周壁部を円筒状としている。周壁部の内外面は滑らかな湾曲面とされて、その内径及び外径は、軸心方向全長にわたって、（略）一定とされている。
【００２０】
図１０は本発明の実施の形態の第７例を示すもので、第６例の変形例とされている。第７例では、重ね合わせた第１・第２基材１，２により、円筒状の周壁部が構成されると共に、周壁部に、径方向外方に突設され且つ横断面が長方形状とされた螺旋状の凸設部１５と、径方向内方に凹設され且つ横断面が凸設部と同一とされた螺旋状の凹設部１６が軸心方向に交互となるように連設されることで、周壁部が蛇腹状とされている。周壁部の最外側に位置する第１基材１の貫通孔６は、凸設部１５の天壁に配設され、排水材の最内側に位置する第２基材２の貫通孔７は、凹設部１６の底壁に配設されている。
【産業上の利用可能性】
【００２１】
本発明は、土中に埋設される排水材に適用できる。
【符号の説明】
【００２２】
１，２  第１・第２基材
２Ａ，２Ｂ  凸部
４  内部補強体
６，７  貫通孔
９，１０  凹凸
１１  隙間
１１Ａ，１１Ｂ  開口
１３  突起
１５  凸設部
１６  凹設部
【図１】
0005580141.tif 000002
【図２】
0005580141.tif 000003
【図３】
0005580141.tif 000004
【図４】
0005580141.tif 000005
【図５】
0005580141.tif 000006
【図６】
0005580141.tif 000007
【図７】
0005580141.tif 000008
【図８】
0005580141.tif 000009
【図９】
0005580141.tif 000010
【図１０】
0005580141.tif 000011